(57)【要約】【課題】アームがストッパを乗り越えることを防止できる複合機を提供する。【解決手段】アーム４０は、一端部がスキャナ部と回動可能に連結されている。アーム４０は、他端部がプリンタ部２０の上面に設けられたストッパ２８に当接することにより、開かれたスキャナ部を支持する。アーム４０には、リンク５０の一端部が連結されている。リンク５０の他端部には、プリンタ部２０に設けられた溝６６に挿入された第３回動軸５３が設けられている。第３回動軸５３が溝６６の前壁６８に当接することにより、リンク５０のアーム４０に対する回動が制止される。回動が制止されたリンク５０により、ストッパ２８を乗り越えるようなアーム４０の回動が制止される。リンク５０により、アーム４０におけるストッパ２８の乗り越えが防止され、意図せずスキャナ部が閉じることを防止できる。【選択図】図７
2012216988.tif 000002
【特許請求の範囲】
【請求項１】
被記録媒体に画像を記録するプリンタ部と、
上記プリンタ部の上側に回動可能に設けられており、上記プリンタ部に対して倒伏する第１姿勢、及び上記プリンタ部に対して起立する第２姿勢に姿勢変化可能なスキャナ部と、
上記スキャナ部の回動先端側から回動基端側へ向かう向きに沿う延出方向へ延出されており、上記第１姿勢の上記スキャナ部の下面側に回動可能に設けられており、上記スキャナ部に対して倒伏した第３姿勢、及び上記スキャナ部に対して起立した第４姿勢に姿勢変化可能なアームと、
上記プリンタ部から上向きへ突出されており、上記第４姿勢にある上記アームの回動先端部に当接して上記アームの回動を制止するストッパと、
上記延出方向に沿って延出されると共に上記アームに回動可能に設けられたリンクと、
上記リンクの回動先端部を上記延出方向に沿って移動可能に支持しており、上記第４姿勢を越えた上記リンクの回動により上記ストッパへ向かう向きへ移動される上記リンクの回動先端部に当接して当該回動先端部の移動を制止するガイド部と、を備えた複合機。
【請求項２】
上記アームは、切欠を有する板状に形成されており、
上記リンクは、上記切欠に嵌る板状に形成されており、上記アームの上記第３姿勢において上記切欠に嵌るものである請求項１に記載の複合機。
【請求項３】
上記プリンタ部は、上記アーム及び上記リンクを収容する凹部を上部に有しており、
上記ガイドは、上記延出方向に沿って延出された溝を上記凹部に有しており、
上記リンクは、上記溝に挿入された軸を回動先端部に有するものである請求項１又は２に記載の複合機。
【請求項４】
上記リンクは、上記第４姿勢を越えて回動された上記アームと当接して上記アームに対する回動を制止する当接部を回動基端部に有するものである請求項１から３のいずれかに記載の複合機。
【発明の詳細な説明】
【技術分野】
【０００１】
本発明は、回動されることによりプリンタ部に対して起立されたスキャナ部をアームにより支持する複合機に関する。
【背景技術】
【０００２】
回動されることによりプリンタ部に対して起立されたスキャナ部を支持可能な複合機がある。スキャナ部は、例えば、原稿の画像を走査して取り込むイメージセンサを有するフラットベッドスキャナである。スキャナ部は、プリンタ部において紙詰まり等が生じたときなどに回動される。
【０００３】
複合機には、バネヒンジやオイルダンパや開閉リンクを用いてスキャナ部を支持するものがある（例えば、特許文献１参照）。しかしながら、バネヒンジやオイルダンパや開閉リンクは比較的高価であるため、アームによりスキャナ部を開いた状態で支持するものがある。
【０００４】
アームは、一端を回動可能にスキャナ部と連結されている。アームは、スキャナ部がプリンタ部へ倒伏しているときは、スキャナ部へ倒伏している。アームは、スキャナ部が回動されるとスキャナ部から起立される。プリンタ部から起立されたスキャナ部がプリンタ部へ倒伏する向きへ回動されると、アームの回動先端は、プリンタ部の上面を滑り、当該上面から上向きへ突出されたストッパに当接する。ストッパは、アームを介してスキャナ部の重量を受ける。
【先行技術文献】
【特許文献】
【０００５】
【特許文献１】特開２００８−２７１３１８号公報
【発明の概要】
【発明が解決しようとする課題】
【０００６】
ストッパによりスキャナ部の重量を受ける複合機においては、ストッパとスキャナ部との干渉等を考慮してプリンタ部の上面からのストッパの突出量を小さくすると、アームの回動先端部がストッパを乗り越えてスキャナ部がプリンタ部へ倒れ込んでしまうおそれが生じる。
【０００７】
本発明は、上述された事情に鑑みてなされたものであり、その目的とするところは、アームの回動先端部がストッパを乗り越えることを防止できる機構を提供することにある。
【課題を解決するための手段】
【０００８】
(1)  本発明の複合機は、被記録媒体に画像を記録するプリンタ部と、スキャナ部と、アームと、ストッパと、リンクと、ガイド部と、を備える。上記スキャナ部は、上記プリンタ部の上側に回動可能に設けられており、上記プリンタ部に対して倒伏する第１姿勢、及び上記プリンタ部に対して起立する第２姿勢に姿勢変化可能である。上記アームは、上記スキャナ部の回動先端側から回動基端側へ向かう向きに沿う延出方向へ延出されており、上記第１姿勢の上記スキャナ部の下面側に回動可能に設けられており、上記スキャナ部に対して倒伏した第３姿勢、及び上記スキャナ部に対して起立した第４姿勢に姿勢変化可能である。上記ストッパは、上記プリンタ部から上向きへ突出されており、上記第４姿勢にある上記アームの回動先端部に当接して上記アームの回動を制止する。上記リンクは、上記延出方向に沿って延出されると共に上記アームに回動可能に設けられている。上記ガイド部は、上記リンクの回動先端部を上記延出方向に沿って移動可能に支持しており、上記第４姿勢を越えた上記リンクの回動により上記ストッパへ向かう向きへ移動される上記リンクの回動先端部に当接して当該回動先端部の移動を制止する。
【０００９】
第４姿勢にあるアームは、回動先端部においてストッパに当接している。ストッパは、アームを介してスキャナ部の重量を受ける。アームが第４姿勢を越えて回動されると、リンクの回動先端部は、ストッパに近づく向きへ移動される。リンクの回動先端部の移動は、ガイド部に当接することにより制止される。回動先端部の移動が制止されたリンクにより、アームにおけるストッパの乗り越えを防止することができる。
【００１０】
(2)  上記アームは、切欠を有する板状に形成されており、上記リンクは、上記切欠に嵌る板状に形成されており、上記アームの上記第３姿勢において上記切欠に嵌るものであってもよい。複合機を大型化させることなくリンクを設けることができる。
【００１１】
(3)  上記プリンタ部は、上記アーム及び上記リンクを収容する凹部を上部に有しており、上記ガイドは、上記延出方向に沿って延出された溝を上記凹部に有しており、上記リンクは、上記溝に挿入された軸を回動先端部に有するものであってもよい。凹部により、第１姿勢にあるスキャナ部と、アーム及びリンクとの干渉を防止することができる。また、溝という簡単な構成により、アームにおけるストッパの乗り越えを防止することができる。
【００１２】
(4)  上記リンクは、上記第４姿勢を越えて回動された上記アームと当接して上記アームに対する回動を制止する当接部を回動基端部に有するものであってもよい。当接部によりアームに対するリンクの回動を制止することにより、アームにおけるストッパの乗り越えを、より確実に防止することができる。
【発明の効果】
【００１３】
本発明によれば、アームに回動可能に設けられたリンクの回動先端部の移動をガイド部により制止することにより、アームにおけるストッパの乗り越えを防止することができる。
【図面の簡単な説明】
【００１４】
【図１】複合機の斜視図である。
【図２】（Ａ）はスキャナ部が第１姿勢にある状態の複合機の模式的な斜視図で、（Ｂ）はスキャナ部が第２姿勢にある状態の複合機の模式的な斜視図で、（Ｃ）はプリンタ部の上面側の模式的な斜視図である。
【図３】（Ａ）はガイド部の模式的な横断面図であり、（Ｂ）は（Ａ）のＢ−Ｂ断面図である。
【図４】アームを示す図であり、（Ａ）は平面図で、（Ｂ）は正面図で、（Ｃ）は右側面図で、（Ｄ）は斜視図である。
【図５】リンクを示す図であり、（Ａ）は平面図で、（Ｂ）は正面図で、（Ｃ）は右側面図で、（Ｄ）は斜視図で、（Ｅ）はアームとの嵌合図である。
【図６】アームの動作を説明するための複合機の模式的な側面図である。
【図７】アーム及びリンクの動作を説明するための複合機の一部の模式的な縦断面図である。
【図８】変形例の複合機の一部の模式的な縦断面図である。
【発明を実施するための形態】
【００１５】
以下、本発明の実施形態について説明がされる。なお、以下に説明される実施形態は本発明の一例にすぎず、本発明の要旨を変更しない範囲で実施形態を適宜変更できることは言うまでもない。以下の説明では、複合機１０が使用可能に設置された状態（図１の状態）を基準として上下方向７が定義され、表示部１３が設けられている側を前側として前後方向８が定義され、複合機１０を前側から見て左右方向９が定義される。
【００１６】
［複合機１０］
複合機１０は、下部のプリンタ部２０と上部のスキャナ部３０とを備えた概ね直方体状の外形を呈しており、印刷機能と、読み取り機能と、これらの機能を合わせた機能と、を有している。プリンタ部２０は、下部に収容した給紙カセット１１に載置された不図示の被記録媒体を搬送して画像を記録し、給紙カセット１１の上部に設けられた排紙トレイ１２に画像記録後の被記録媒体を排出する。
【００１７】
スキャナ部３０は、上下方向７の厚みの薄い直方体状の外形を呈するスキャナ本体３１と、スキャナ本体３１に回動可能に設けられた原稿カバー３２とを備えている。原稿は、スキャナ本体３１に設けられた不図示のプラテンガラス上に載置され、原稿カバー３２により押さえられる。プラテンガラスの下方には、プラテンガラスの下面に沿って移動可能に設けられた不図示のイメージセンサが配置されている。イメージセンサは、移動されることにより、プラテンガラスに載置された原稿を走査し、原稿の画像を画像データとして取り込む。なお、上述のようなフラットベッドスキャナ以外のスキャナがスキャナ部３０として用いられていてもよい。
【００１８】
スキャナ部３０は、プリンタ部２０の上側に回動可能に設けられている。スキャナ部３０は、例えば、プリンタ部２０において被記録媒体が詰まったときに回動されて開かれる。ユーザは、スキャナ部３０を開いてプリンタ部２０の内部を露出させ、詰まった被記録媒体を取り除く。
【００１９】
ユーザにより開かれたスキャナ部３０は、図２（Ｂ）に示されるチルト機構１４により支持される。以下、チルト機構１４によるスキャナ部３０の支持について詳しい説明がされる。なお、図２及び図６〜８において、プリンタ部２０及びスキャナ部３０は簡略化されて図示されている。
【００２０】
図２（Ｂ）、（Ｃ）に示されるように、プリンタ部２０は、上面２１から凹んだ凹部２２を左端部に備えている。凹部２２の開口は、前後方向８に長い矩形状である。図２（Ｃ）に示されるように、凹部２２は、チルト機構１４のアーム４０及びリンク５０を収容可能な大きさに形成されている。
【００２１】
凹部２２の前側には、上向きへ突出された左右一対のストッパ２８が設けられている。ストッパ２８は、アーム４０の回動先端部４９を支持する機能を有している。詳しくは後述される。
【００２２】
図２（Ｂ）に示されるように、凹部２２の底部２３には、後述のリンク５０に設けられた第３回動軸５２、５３（図５）をガイドするガイド部６０が設けられている。図３（Ａ）は、前後方向８を法線方向とする面による凹部２２の断面図である。図３（Ａ）に示されるように、ガイド部６０は、凹部２２の底部２３から上向きへ突出された左右の側壁６１、６２と、左の側壁６１の上端部から右向きへ突出された第１上壁６３と、右の側壁６２の上端部から左向きへ突出された第２上壁６４とを備えている。図３（Ｂ）に示されるように、右の側壁６２及び第２上壁６４は、凹部２２の後端から前方へ向かって延出されている。同様に、左の側壁６１及び第１上壁６３は、凹部２２の後端から前方へ向かって延出されている。図３（Ａ）に示されるように、左の側壁６１と第１上壁６３と底部２３とにより、左側の溝６５が形成されている。右の側壁６２と第２上壁６４と底部２３とにより、右側の溝６６が形成されている。左右の溝６５、６６に、後述されるリンク５０の第３回動軸５２、５３（図５）が嵌る。
【００２３】
図３（Ｂ）に示されるように、右の側壁６２の前端部には、第２前壁６８が設けられている。後述されるように、溝６６内を前方へ向かって移動するリンク５０の第３回動軸５３（図５）は、第２前壁６８に当接することにより制止される。同様に、左の側壁６１の前端部には、第１前壁（不図示）が設けられている。
【００２４】
図２（Ｃ）に示されるように、プリンタ部２０は、スキャナ部３０に設けられた第１回動軸（不図示）が嵌め込まれる軸受凹部２７を凹部２２の後方となる位置に備えている。軸受凹部２７は、上面２１から凹んでおり、上面２１の左右両端に亘って設けられている。軸受凹部２７は、左右方向９からの側面視が概ね円形状となるように形成されている。プリンタ部２０は、軸受凹部２７により、スキャナ部３０を回動可能に支持する。
【００２５】
スキャナ部３０は、図２（Ａ）における後端部の左右両端部から下向きへ突出された左右一対の保持片３７、３８（符号３８は図２（Ｂ）参照）を備える。保持片３７、３８には、プリンタ部２０の軸受凹部２７（図２（Ｃ））に嵌め込まれる円柱状の第１回動軸（不図示）が設けられている。第１回動軸は、中心軸線を左右方向９に一致させ、左側の保持片３７から右向きへ突出され、右側の保持片３８から左向きへ突出されている。
【００２６】
スキャナ部３０は、第１回動軸及び軸受凹部２７により、第１回動軸の中心軸線周りに回動可能にプリンタ部２０に支持されている。スキャナ部３０は、第１回動軸の中心軸線周りに回動されることにより、図２（Ａ）に示される第１姿勢、及び図２（Ｂ）に示される第２姿勢に姿勢変化される。第１姿勢にあるスキャナ部３０は、プリンタ部２０に対して倒伏している。第２姿勢にあるスキャナ部３０は、プリンタ部２０に対して起立している。
【００２７】
図２（Ｂ）に示されるように、スキャナ部３０の下面３３からは、左右一対の支持片３４、３５が突出されている。支持片３４、３５は、スキャナ部３０の第１姿勢において凹部２２の上側となる位置から下向きへ突出されている。支持片３４、３５には、アーム４０に設けられた左右一対の第２回動軸４３、４４（図４）が挿入される第１軸受孔３６が設けられている。第１軸受孔３６は、支持片３４、３５を左右方向９へ貫通している。左右の支持片３４、３５及び第２回動軸４３、４４により、アーム４０がスキャナ部３０と回動可能に連結されている。
【００２８】
［チルト機構１４］
図２（Ｂ）に示されるように、チルト機構１４は、板状に形成されたアーム４０及びリンク５０を備えている。図２（Ｃ）に示されるように、アーム４０及びリンク５０は、プリンタ部２０の凹部２２に収容可能な大きさに形成されている。図４及び図５では、アーム４０及びリンク５０が凹部２２に収容された状態における上下方向７、前後方向８、左右方向９が示されている。
【００２９】
［アーム４０］
図４（Ａ）〜（Ｄ）に示されるように、アーム４０は、スキャナ部３０に設けられた左右の支持片３４、３５（図２（Ｂ））間に挿入可能な幅（左右方向９における幅）に形成された前部４１と、リンク５０が嵌る切欠４５が設けられた後部４２と、を備えている。
【００３０】
前部４１には円柱状に形成された左右一対の第２回動軸４３、４４が設けられている。左側の第２回動軸４３は、アーム４０の左側面の前端部から左向きへ突出されている。右側の第２回動軸４４は、アーム４０の右側面の前端部から右向きへ突出されている。左側の第２回動軸４３と右側の第２回動軸４４とは、中心軸線を一致させて設けられている。
【００３１】
図２（Ｂ）に示されるように、アーム４０は、前部４１の前端部がスキャナ部３０の左右の支持片３４、３５間に挿入され、左右の支持片３４、３５に設けられた第１軸受孔３６に左右の第２回動軸４３、４４（図４（Ａ））が挿入されることにより、スキャナ部３０と回動可能に連結されている。つまり、アーム４０は、前端部を回動基端部としてスキャナ部３０と連結されている。
【００３２】
アーム４０は、第２回動軸４３、４４の中心軸線周りに回動されることにより、図２（Ａ）の第１姿勢にあるスキャナ部３０の下面３３（図２（Ｂ））へ倒伏する第３姿勢、及び図２（Ｂ）の第２姿勢にあるスキャナ部３０から起立する第４姿勢に姿勢変化される。図４（Ａ）に示されるように、アーム４０は、第３姿勢における前後方向８の長さが左右方向９における長さよりも長い形状に形成されている。つまり、アーム４０は、前後方向８に沿って延出された形状に形成されている。アーム４０が延出された前後方向８が延出方向に相当する。
【００３３】
図２（Ｃ）に示されるように、第３姿勢にあるアーム４０は、プリンタ部２０に設けられた凹部２２に収容されている。図２（Ｂ）に示されるように、第４姿勢にあるアーム４０の回動先端部４９は、プリンタ部２０の上面から突出された左右のストッパ２８の後面に当接している。ストッパ２８により、アーム４０を介してスキャナ部３０の重量が受けられる。つまり、アーム４０及びストッパ２８により、第２姿勢にあるスキャナ部３０が支持される。ユーザは、第２姿勢にあるスキャナ部３０をチルト機構１４により支持させ、プリンタ部２０において詰まった被記録媒体を取り除く。
【００３４】
図４（Ａ）に示されるように、アーム４０の後部４２には、リンク５０（図５）が嵌る切欠４５が設けられている。アーム４０の左右両部には、リンク５０に設けられた第４回動軸５４、５５（図５）が嵌め込まれる嵌込溝４６、４７が設けられている。嵌込溝４６、４７は、アーム４０の上面側に設けられている。アーム４０は、嵌込溝４６、４７において、リンク５０と回動可能に連結されている。
【００３５】
［リンク５０］
図５（Ａ）〜（Ｄ）に示されるように、リンク５０は、アーム４０の切欠４５（図４）に嵌る大きさの矩形板状に形成されている。リンク５０は、プリンタ部２０の凹部２２（図２（Ｂ））に設けられたガイド部６０の左右の溝６５、６６（図３（Ａ））に挿入される左右一対の第３回動軸５２、５３を後端部に備えている。左側の第３回動軸５２は、リンク５０の左側面の後端部から左向きへ突出されている。右側の第３回動軸５３は、リンク５０の右側面の後端部から右向きへ突出されている。左右の第３回動軸５２、５３は、円柱状に形成され、中心軸線を一致させて配置されている。リンク５０は、ガイド部６０及び第３回動軸５２、５３により、第３回動軸５２、５３の中心軸線周りに回動可能、且つ溝６５、６６が延びる前後方向８へ移動可能にプリンタ部２０（図２（Ｂ））に支持されている。
【００３６】
リンク５０は、アーム４０に設けられた嵌込溝４６、４７（図４（Ａ））に嵌め込まれる第４回動軸５４、５５を前端部に備えている。左側の第４回動軸５４は、リンク５０の左側面の前端部から左向きへ突出されている。右側の第４回動軸５５は、リンク５０の右側面の前端部から右向きへ突出されている。左右の第４回動軸５４、５５は、円柱状に形成されており、中心軸線を一致させて配置されている。リンク５０は、第４回動軸５４、５５及び嵌込溝４６、４７により、回動可能にアーム４０（図４）と連結されている。つまり、リンク５０は、前端部を回動基端部としてアーム４０と連結されている。
【００３７】
リンク５０は、第３回動軸５２、５３の中心軸線周りの回動、第３回動軸５２、５３の前後方向８に沿う移動、及び第４回動軸５４、５５の中心軸線周りの回動により、図２（Ｃ）に示される倒伏姿勢、及び図２（Ｂ）に示される起立姿勢に姿勢変化される。図２（Ｃ）に示されるように、リンク５０は、倒伏姿勢において、凹部２２の底部２３へ倒伏している。図２（Ｂ）に示されるように、リンク５０は、起立姿勢において、凹部２２の底部２３から起立している。
【００３８】
図５（Ｂ）に示されるように、リンク５０は、前端部から上向きへ突出された当接部５６を備えている。当接部５６の先端部５７は、前方へ向かって突出されている。つまり、当接部５６は鉤状に形成されている。図５（Ｅ）に示されるように、当接部５６の先端部５７は、アーム４０に当接することにより、アーム４０に対するリンク５０の回動を制止する。
【００３９】
［動作］
以下、図２（Ａ）、図６及び図７を参照してチルト機構１４の動作が説明される。なお、溝６５、６６など左右一対のものについては、図面に現れる方の符号を用いて説明される。
【００４０】
図２（Ａ）の第１姿勢にあるスキャナ部３０がユーザにより第１回動向き７１へ回動されて開かれると、スキャナ部３０と連結されたアーム４０は、図６（Ａ）に示されるように、スキャナ部３０と共に移動される。移動されたアーム４０は、自重により第２回動軸４３の中心軸線周りに回動する。
【００４１】
スキャナ部３０が第１回動向き７１へ更に回動されると、図６（Ｂ）に示されるように、アーム４０は、スキャナ部３０から垂れ下がった状態となる。その後、スキャナ部３０が第１回動向き７１の反対向きである第２回動向き７２へ回動されると、図６（Ｃ）に示されるように、アーム４０の回動先端部４９は、凹部２２の底部２３（図２（Ｂ））を滑り、前方へ向かう。図６（Ｄ）に示されるように、凹部２２の底部２３を滑って前方へ向かったアーム４０の回動先端部４９は、凹部２２の前側に設けられたストッパ２８の後面に当接して止まる。
【００４２】
一方、リンク５０は、図６（Ｂ）、（Ｃ）、（Ｄ）に示されるように、第２回動軸４３の中心軸線周りのアーム４０の回動に連動して、アーム４０との連結部である第４回動軸５４、５５（図５）の中心軸線周りに回動される。
【００４３】
リンク５０の第４回動軸５４、５５（図５）の中心軸線周りの回動に伴い、リンク５０の第３回動軸５２、５３（図５）は、プリンタ部２０のガイド部６０の溝６５、６６（図３（Ａ）、（Ｂ））内を前方へ向かって移動される。図７（Ａ）に示されるように、リンク５０は、アーム４０の回動先端部４９がストッパ２８の後面に当接したときに、第３回動軸５３がガイド部６０の第２前壁６８よりも後方にあって第２前壁６８から離間されるような長さに形成されている。よって、スキャナ部３０の重量は、リンク５０には加わらず、ストッパ２８により受けられる。
【００４４】
ユーザは、スキャナ部３０を閉じる際は、図６（Ｄ）の第４姿勢にあるアーム４０を後方へ押し込み、アーム４０によるスキャナ部３０の支持を解除する。
【００４５】
図７（Ａ）の第４姿勢にあるアーム４０にユーザの手が当たるなどして誤って第３回動向き７３へ回動された場合、図７（Ｂ）に示されるように、アーム４０の回動先端部４９がストッパ２８の上端面に到達するまでに、リンク５０の第３回動軸５３が溝６６の前端部に到達して第２前壁６８に当接する。リンク５０は、第３回動軸５３が第２前壁６８に当接することにより、アーム４０の回動先端部４９がストッパ２８を乗り越えることを防止する。
【００４６】
また、アーム４０の回動先端部４９がストッパ２８の上端面に到達するまでに、図５（Ｅ）に示されるように、当接部５６がアーム４０と当接する。当接部５６とアーム４０との当接により、リンク５０とアーム４０との相対的な回動が制止される。その結果、アーム４０の回動先端部４９がストッパ２８を乗り越えることが防止される。当接部５６が設けられたことにより、アーム４０におけるストッパ２８の乗り越えを、より確実に防止することができる。
【００４７】
［本実施形態の効果］
本実施形態では、リンク５０に負荷をかけることなく、ストッパ２８により、スキャナ部３０の重量を受けることができる。また、リンク５０とガイド部６０とによりアーム４０の回動を制止し、アーム４０におけるストッパ２８の乗り越えを防止することができる。よって、第２姿勢にあるスキャナ部３０が意図せず第１姿勢となることを防止できる。
【００４８】
また、本実施形態では、リンク５０は、倒伏姿勢において、アーム４０に設けられた切欠４５に嵌る。よって、複合機１０を大型化させることなくリンク５０を設けることができる。
【００４９】
また、本実施形態では、アーム４０及びリンク５０を収容する凹部２２が設けられたことにより、第１姿勢にあるスキャナ部３０と、アーム４０及びリンク５０との干渉を防止することができる。また、溝６５、６６という簡単な構成により、アーム４０におけるストッパ２８の乗り越えを防止することができる。
【００５０】
また、本実施形態では、当接部５６によってアーム４０に対するリンク５０の回動を制止することにより、アーム４０の回動を、より確実に制止できる。従って、アーム４０の回動先端部４９がストッパ２８を乗り越えることを、より確実に防止することができる。
【００５１】
［変形例１］
上述の実施形態では、図２（Ｃ）に示されるアーム４０が前端部においてスキャナ部３０と連結された例が説明された。本変形例では、図８（Ａ）に示されるように、アーム４０が後端部においてスキャナ部３０と連結された例が説明される。
【００５２】
図８（Ａ）に示されるように、アーム４０及びリンク５０は、凹部２２に収容された状態において、上述の実施形態と前後が反対となるように配置されている。ストッパ２８は、凹部２２の後側に設けられている。
【００５３】
スキャナ部３０が、図８（Ａ）の第１姿勢から第１回動向き７１へ回動されると、スキャナ部３０と支持片３５において連結されているアーム４０は、スキャナ部３０と共に移動され、自重により第２回動軸４３、４４（図４）の中心軸線周りに回動する。自重により回動したアーム４０は、図８（Ｂ）に示されるように、支持片３５から垂れ下がる。開かれたスキャナ部３０が第２回動向き７２へ回動されると、アーム４０の回動先端部４９は、凹部２２の底部２３を後向きへ滑り、ストッパ２８の前面に当接して止まる。
【００５４】
一方、リンク５０は、図８（Ｂ）、（Ｃ）に示されるように、第２回動軸４３（図４）の中心軸線周りのアーム４０の回動に連動して、アーム４０との連結部である第４回動軸５４、５５（図５）の中心軸線周りに回動される。
【００５５】
リンク５０の第４回動軸５４、５５（図５）の中心軸線周りの回動に伴い、リンク５０の第３回動軸５３は、プリンタ部２０のガイド部６０の溝６５、６６（図３（Ａ）、（Ｂ））内を後方へ向かって移動される。図８（Ｃ）に示されるように、リンク５０の第３回動軸５３は、アーム４０の回動先端部４９がストッパ２８の前面に当接したときに、ガイド部６０の後壁６９の前方にあって後壁６９から離間されている。
【００５６】
図８（Ｃ）の第４姿勢にあるアーム４０がユーザの手に当たるなどして誤って回動された場合、図８（Ｄ）に示されるように、アーム４０の回動先端部４９がストッパ２８の上端面に到達するまでに、リンク５０の第３回動軸５３が溝６６（図３（Ａ））の前端部に到達して後壁６９に当接し、且つ当接部５６（図５（Ｅ））がアーム４０と当接する。リンク５０は、第３回動軸５３が後壁６９に当接することにより、また、当接部５６がアーム４０に当接することにより、第４回動軸５４、５５（図５）の中心軸線周りのアーム４０に対する回動が制止される。その結果、上述の実施形態と同様に、アーム４０におけるストッパ２８の乗り越えが防止される。
【００５７】
［その他の変形例］
上述の実施形態では、アーム４０が自重により回動される構成が説明されたが、スキャナ部３０の支持片３４、３５（図２（Ａ））に、アーム４０を付勢するねじりコイルバネが設けられてもよい。アーム４０は、ねじりコイルバネの付勢力により、第３姿勢から第４姿勢に姿勢変化される。
【００５８】
また、上述の実施形態では、複合機１０の左端部にチルト機構１４が設けられた例が説明されたが、複合機１０の右端部や、中央部や、左右両端部にチルト機構１４が設けられていてもよい。
【００５９】
また、上述の実施形態では、リンク５０に当接部５６が設けられた例が説明されたが、当接部５６がリンク５０に設けられていない構成を採用することもできる。また、アーム４０に当接部が設けられていてもよい。
【符号の説明】
【００６０】
１０・・・複合機
２０・・・プリンタ部
２２・・・凹部
２８・・・ストッパ
３０・・・スキャナ部
４０・・・アーム
４５・・・切欠
５０・・・リンク
５２、５３・・・第３回動軸（軸）
５６・・・当接部
６０・・・ガイド部
６５、６６・・・溝
【図１】
2012216988.tif 000003
【図２】
2012216988.tif 000004
【図３】
2012216988.tif 000005
【図４】
2012216988.tif 000006
【図５】
2012216988.tif 000007
【図６】
2012216988.tif 000008
【図７】
2012216988.tif 000009
【図８】
2012216988.tif 000010